(57)【要約】【課題】取付け箇所の近傍に障害物があっても、複数の保持部のいずれかが利用でき、また、複数の保持部のうち、特定の保持部にのみ挿入する必要がある場合に、他の保持部には挿入できないように配置することができる管・線状物固定用クリップを提供する。【解決手段】管又は線状物６００を導入して弾性的に把持するＵ字状の保持溝２１４、２２４を有する複数の保持部２１０、２２０と、この保持部を一体に連結する基部３００と、この基部から延出されて被取付部材５００に設けられた取付孔５１０に係着可能な脚部４００とを備え、複数の保持部は、管又は線状物を導入するための開口部２１３，２２３方向が９０〜１８０°ずれて配置されており、前記基部には、前記被取付部材に対するクリップの取付け角度を規制する位置決め用の突起３１０が設けられている。【選択図】  図１０
2004340309.tif 000002
【特許請求の範囲】
【請求項１】
管又は線状物を導入して弾性的に把持するＵ字状の保持溝を有する複数の保持部と、この保持部を一体に連結する基部と、この基部から延出されて被取付部材に設けられた取付孔に係着可能な脚部とを備えた管・線状物固定用クリップにおいて、前記複数の保持部は、管又は線状物を導入するための開口部方向が９０〜１８０°ずれて配置されており、前記基部には、前記被取付部材に対するクリップの取付け角度を規制する位置決め用の突起が設けられていることを特徴とする管・線状物固定用クリップ。
【請求項２】
前記位置決め用の突起は、前記被取付部材に取付けた際に、前記保持部のいずれか１つのみが使用可能となるように、前記被取付部材に対するクリップの取付け角度を設定するものである請求項１記載の管・線状物固定用クリップ。
【請求項３】
前記保持部は、前記脚部と反対方向に開口部を有するものと、それに対して９０°ずれた方向に開口部を有するものとの２つからなり、前記位置決め用の突起は、前記脚部と反対方向に開口部を有するものの基部側に連設されている請求項１又は２記載の管・線状物固定用クリップ。
【発明の詳細な説明】
【０００１】
【発明の属する技術分野】
本発明は、例えば自動車等に装着される各種配管、配線ケーブル等の管・線状物固定用クリップに関する。
【０００２】
【従来の技術】
例えば自動車の燃料配管、冷却液配管、配線ケーブル等を車体に固定するために、これらの管・線状物を把持するＵ字状の保持溝を有する保持部と、被取付部材に設けられた取付孔に弾性的に係着される脚部とを有する樹脂製のクリップが使用されている。
【０００３】
このようなクリップとして、下記特許文献１には、線、棒状物が径方向で抜差し可能に支承される弾性係止片を開口部側に有する樹脂製クランプであって、上記開口部が複数あって複数本の線、棒状物を保持できるようにしたものが開示されている。そして、このクリップは、上記弾性係止片を支持する基部と、パネル等の被取付部材の取付孔に嵌着される取付け脚とを有し、上記複数の開口部は、同じ方向に開口している。
【０００４】
【特許文献１】
実開平４−４４５８１号公報
【０００５】
【発明が解決しようとする課題】
上記特許文献１に示されるクリップにおいては、複数の開口部が同じ方向に開口しているため、管・線状物の挿入方向が一つの方向になってしまい、壁と壁との狭い隙間に設置するような場合に、全ての開口部が使用不能になってしまうことがあった。
【０００６】
また、取付部位により固定する配管数が異なる場合には、それぞれ配管数の異なるクリップを使用する必要があり、部品点数の増加による開発、製造、管理コストの増加となっていた。
【０００７】
そこで、複数の開口部を有するものの、そのうちの特定の開口部だけを利用して管・線状物を取付けたい場合、挿入方向が同一だと、作業者は、複数の開口部のうちどの開口部に挿入してよいか判断しずらく、予定した開口部以外の開口部に取付けてしまう可能性があり、その結果、設計した経路からずれて取付けられることにより、管・線状物に曲げテンションが加わり、負荷となったり、周辺部品と干渉したりする可能性があった。
【０００８】
したがって、本発明の目的は、被取付部材に管・線状物を固定するためのクリップであって、管・線状物を把持する複数の保持部を有しており、取付け箇所の近傍に障害物があっても、複数の保持部のいずれかが利用できるようにし、また、複数の保持部のうち、特定の保持部にのみ挿入する必要がある場合に、他の保持部には挿入できないように配置することができるようにした管・線状物固定用クリップを提供することにある。
【０００９】
【課題を解決するための手段】
上記目的を達成するため、本発明の第１は、管又は線状物を導入して弾性的に把持するＵ字状の保持溝を有する複数の保持部と、この保持部を一体に連結する基部と、この基部から延出されて被取付部材に設けられた取付孔に係着可能な脚部とを備えた管・線状物固定用クリップにおいて、前記複数の保持部は、管又は線状物を導入するための開口部方向が９０〜１８０°ずれて配置されており、前記基部には、前記被取付部材に対するクリップの取付け角度を規制する位置決め用の突起が設けられていることを特徴とする管・線状物固定用クリップを提供するものである。
【００１０】
上記発明によれば、複数の保持部における管又は線状物を導入するための開口部が９０〜１８０°ずれて配置されているので、例えば壁と壁との狭い隙間に設置するような場合でも、いずれかの開口部が壁と壁との隙間の開口部方向に向くようにして、管又は線状物の取付けを可能にすることができる。
【００１１】
また、被取付部材となる壁等に対して、例えばＬ字状に屈曲されたブラケットを介して固定する場合などには、使用したい保持部以外の保持部の開口部が壁に向かうように取付けることにより、複数の保持部があっても使用できる保持部は特定のものだけにして、作業者が確実に所定の保持部に保持させるようにすることができる。
【００１２】
更に、位置決め用の突起を設けたことにより、被取付部材に対するクリップの取付け角度が予め定められた角度に規制されるため、上記のように被取付部材に対して所定の角度で取付ける必要がある場合でも誤りなく取付けることができる。
【００１３】
本発明の第２は、上記第１の発明において、前記位置決め用の突起は、前記被取付部材に取付けた際に、前記保持部のいずれか１つのみが使用可能となるように、前記被取付部材に対するクリップの取付け角度を設定するものである。
【００１４】
上記発明によれば、位置決め用突起によって、被取付部材に対するクリップの取付け角度が決定され、その際に保持部のいずれか１つのみが使用可能となり、他の保持部は管又は線状物を挿入できなくなるので、作業者による管又は線状物の固定位置の誤りを確実に防ぐことができる。
【００１５】
本発明の第３は、上記第１又は第２の発明において、前記保持部は、前記脚部と反対方向に開口部を有するものと、それに対して９０°ずれた方向に開口部を有するものとの２つからなり、前記位置決め用の突起は、前記脚部と反対方向に開口部を有するものの基部側に連設されている。
【００１６】
上記発明によれば、保持部のうち脚部と反対方向に開口部を有するものは、管又は線状物を把持するための一対のアームが脚部と反対方向に伸びているので、それらのアームの基部側に位置決め用突起を設けることによって、位置決め用突起がアームに干渉するのを防止できる。
【００１７】
【発明の実施の形態】
以下、図面に基づいて本発明の実施形態を説明する。
【００１８】
図１〜１３には本発明による管・線状物固定用クリップの一実施形態が示されている。図１は同クリップの斜視図、図２は正面図、図３は背面図、図４は平面図、図５は底面図、図６は左側面図、図７は右側面図、図８は図２のＡ−Ａ断面図、図９は図４のＢ−Ｂ断面図、図１０は同クリップの取付け態様の一例を示す説明図、図１１は同クリップの取付け態様の他の例を示す説明図、図１２は同クリップを取付けるに用いられるブラケットを示す斜視図、図１３は同クリップを取付けるのに用いられるブラケットの他の例を示す斜視図である。
【００１９】
図１〜９に示すように、このクリップ１００は、管又は線状物を固定するための複数の保持部、この実施形態では２つの保持部２１０、２２０を有している。各保持部２１０、２２０は、円弧状に伸びる一対のアーム２１１，２１２，２２１，２２２を有している。各アーム２１１，２１２，２２１，２２２の先端は、対向するものどうしでチューリップ状に開くように屈曲されて、それらの間に管又は線状物を導入するための開口部２１３，２２３が形成されている。そして、対向するアーム２１１，２１２及び２２１，２２２の間には、管又は線状物を収容するＵ字状の保持溝２１４，２２４が設けられている。
【００２０】
保持部２１０、２２０は、基部３００によって連結されている。そして、保持部２１０、２２０のそれぞれの開口部２１３，２２３は、それらの開口方向が９０°ずれるように配置されている。すなわち、１つの保持部２１０の開口部２１３は後述する脚部４００に対して反対方向に開口し、もう１つの保持部２２０の開口部２２３はそれと９０°交差する方向に開口している。基部３００の保持部２１０方向に伸びる端部には、Ｌ字状に屈曲して被取付け部品の取付け面に向けて伸びる位置決め用突起３１０が形成されている。
【００２１】
基部３００の下面には、スカート状に広がり、その周縁が被取付面に向けて斜めに延出されたフランジ３２０が連設されている。このフランジ３２０は、被取付面に弾性的に当接し、被取付部材の取付孔周縁をシールすると共に、後述する脚部が取付孔の裏面周縁に圧接されるようにする。
【００２２】
更に、フランジ３２０の下面には被取付部材の取付孔に係着される脚部４００が連設されている。脚部４００は、フランジ３２０の下面中央から垂直に伸びる中央壁４１０と、この中央壁４１０の下端からＵ字状に屈曲して斜め上方に伸びる左右一対の弾性係止片４２０とを有している。中央壁４１０の幅方向の両側辺には、下方に向けて幅狭となるテーパ部４１１と、幅が一定とされた基部４１２とを有している。基部４１２は、後述する取付孔の内径に適合する幅とされている。弾性係止片４２０は、その上端部外側に係合段部４２１が形成され、係合段部４２１より更に上方の最上端部４２２は、後述する取付孔内周に圧接されるようになっている。
【００２３】
図１０には、上記クリップ１００の使用態様の一例が示されている。図１０において、５００は、被取付部材であるパネルであり、このパネル５００には取付孔５１０が形成されている。また、取付孔５１０のやや上方には、前記位置決め用突起３１０が挿入される位置決め孔５２０が形成されている。パネル５００に近接して障害物５３０が配置されており、配管６００は、パネル５００と障害物５３０との間の狭い隙間５４０に取付けられる。
【００２４】
この場合、クリップ１００は、その位置決め用突起３１０を位置決め孔５２０に挿入しながら、脚部４００をパネル５００の取付孔５１０に挿入し、脚部４００の弾性係止片４２０の係合段部４２１をパネル５００の裏面における取付孔５１０周縁に係合させて抜け止めする。このとき、弾性係止片４２０の最上端部４２２は、取付孔５１０内周に圧接される。また、中央壁４１０の基部４１２も取付孔５１０の内周に当接する。更に、スカート状のフランジ３２０は、パネル５００の前面に弾性的に圧接され、脚部４００との間でパネル５００を弾性挟持する。その結果、クリップ１００は、パネル５００の取付孔５１０にガタ付きなくしっかりと固定される。そして、上記位置決め孔５２０に位置決め用突起３１０を挿入しないと取付けができないので、クリップ１００の取付角度を規制することができる。
【００２５】
こうして取付けられたクリップ１００においては、その一方の保持部２２０の開口部２２３が、パネル５００と障害物５３０との間の狭い隙間５４０の開口部５４１方向に向いており、配管６００をこの開口部５４１から挿入して、上記保持部２２０の保持溝２２４に押し込み、一対のアーム２２１，２２２で弾性的に挟持させることができる。このように、クリップ１００に開口部の方向が異なる２つの保持部２１０、２２０を設け、かつ、クリップ１００が所定の角度で取付けられるように位置決め用突起３１０及び位置決め孔５２０を設けたことによって、上記のような箇所における配管の取付を確実に行うことができる。
【００２６】
図１１、１２には、上記クリップの使用態様の他の例が示されている。この例は、壁面７００に対してブラケット８００を介して配管６００を取付ける例である。この場合、ブラケット８００が本発明における被取付部材となる。
【００２７】
ブラケット８００は、壁面７００への固定部８１０と、この固定部８１０の一端部からほぼ直角に屈曲されたクリップ取付部８２０とを有し、クリップ取付部８２０には、取付孔８３０、８３１と、位置決め孔８４０とが形成されている。取付孔８３０、８３１のいずれかを選択することによって、クリップ１００の保持部２１０、２２０の両方を使えるようにしたり、片方だけを使えるようにすることができる。なお、ブラケット８００の両側縁部には、補強リブ８５０が形成されている。
【００２８】
この実施形態では、配管６００の取付け位置が予め設定されていて、取付け位置を固定するため、保持部２１０、２２０の片方だけが使えるようにクリップ１００を取付ける例として説明する。
【００２９】
ブラケット８００は、図示しないネジ止め、溶接等の固着手段によって、予め壁面７００に固定しておく。そして、クリップ１００の位置決め用突起３１０をブラケット８００の位置決め孔８４０に挿入しながら、脚部４００を一方の取付孔８３０に挿入する。その結果、前記と同様に、脚部４００の弾性係止片４２０の係合段部４２１がブラケット８００の裏面において取付孔８３０周縁に係合して抜け止めされ、スカート状のフランジ３２０がブラケット８００の前面に弾性的に圧接され、脚部４００との間でブラケット８００のクリップ取付け部８２０を弾性挟持する。その結果、クリップ１００は、ブラケット８００の取付孔８３０にガタ付きなくしっかりと固定される。
【００３０】
この状態で、一方の保持部２２０は、その開口部２２３が壁面７００に近接して配置され、配管６００を保持部２２０に保持させることはできなくなる。したがって、配管６００は、他方の保持部２１０の保持溝２１４にしか保持させることができないので、配管６００の取付位置を設計した位置に確定することができる。したがって、取付位置のずれによって、配管に曲げテンションが加わり、負荷となったり、周辺部品と干渉したりすることを回避できる。
【００３１】
このように、ブラケット８００とクリップ１００と壁面７００とにより、一方の保持部２２０に配管６００を保持させることができなくなる装置を構成することができる。
【００３２】
図１３には、本発明のクリップを取付けるためのブラケットの他の例が示されている。なお、前記実施形態と実質的に同じ部分には、同符号を付してその説明を省略することにする。このブラケット８０１は、クリップ取付部８２０に、１つの取付孔８３０が形成され、位置決め孔はなくて、その代わりにクリップ取付部８２０の端部８６０が取付孔８３０の近傍で直線状にカットされている。
【００３３】
このブラケット８０１においては、クリップ１００の位置決め用突起３１０を上記端部８６０に係合させながら、脚部４００を取付孔８３０に挿入することにより、クリップ１００の取付角度を一定にしながら、ブラケット８０１にしっかりと固定することができる。このように、位置決め用突起３１０が係合する、被取付部材側の構造としては、図１２に示したような孔であってもよく、図１３に示したような直線状にカットされた辺であってもよい。
【００３４】
なお、上記実施形態では、クリップ１００における保持部２１０、２２０が９０°ずれて配置された例となっているが、保持部２１０、２２０を１８０°ずらして互いに反対向きに設けてもよく、あるいは３個以上の保持部を互いの取付角度をずらしながら配置したものであってもよい。
【００３５】
【発明の効果】
以上説明したように、本発明によれば、複数の保持部における管又は線状物を導入するための開口部が９０〜１８０°ずれて配置されているので、例えば壁と壁との狭い隙間に設置するような場合でも、いずれかの開口部が壁と壁との隙間の開口部方向に向くようにして、管又は線状物の取付けを可能にすることができる。また、被取付部材となる壁等に対して、例えばＬ字状に屈曲されたブラケットを介して固定する場合などには、使用したい保持部以外の保持部の開口部が壁に向かうように取付けることにより、複数の保持部があっても使用できる保持部は特定なものだけにして、作業者が確実に所定の保持部に保持させるようにすることができる。更に、位置決め用の突起を設けたことにより、被取付部材に対するクリップの取付け角度が予め定められた角度に規制されるため、上記のように被取付部材に対して所定の角度で取付ける必要がある場合でも誤りなく取付けることができる。
【図面の簡単な説明】
【図１】本発明による管・線状部材固定用クリップの一実施形態を示す斜視図である。
【図２】同クリップの正面図である。
【図３】同クリップの背面図である。
【図４】同クリップの平面図である。
【図５】同クリップの底面図である。
【図６】同クリップの左側面図である。
【図７】同クリップの右側面図である。
【図８】図２のＡ−Ａ断面図である。
【図９】図４のＢ−Ｂ断面図である。
【図１０】同クリップの取付け態様の一例を示す説明図である。
【図１１】同クリップの取付け態様の他の例を示す説明図である。
【図１２】同クリップを取付けるに用いられるブラケットを示す斜視図である。
【図１３】同クリップを取付けるのに用いられるブラケットの他の例を示す斜視図である。
【符号の説明】
１００  クリップ
２１０、２２０  保持部
２１１，２１２，２２１，２２２  アーム
２１３，２２３  開口部
２１４，２２４  保持溝
３００  基部
３１０  位置決め用突起
４００  脚部
４１０  中央壁
４２０  弾性係止片
４２１  係止段部
５００  パネル
５１０  取付孔
５２０  位置決め孔
５３０  障害物
５４０  隙間
５４１  隙間の開口部
６００  配管
７００  壁面
８００、８０１  ブラケット
８３０、８３１  取付孔
８４０  位置決め孔
【図１】
2004340309.tif 000003
【図２】
2004340309.tif 000004
【図３】
2004340309.tif 000005
【図４】
2004340309.tif 000006
【図５】
2004340309.tif 000007
【図６】
2004340309.tif 000008
【図７】
2004340309.tif 000009
【図８】
2004340309.tif 000010
【図９】
2004340309.tif 000011
【図１０】
2004340309.tif 000012
【図１１】
2004340309.tif 000013
【図１２】
2004340309.tif 000014
【図１３】
2004340309.tif 000015